(57)【要約】
【課題】　化粧箱に配された絵柄を取り替え可能とし、その絵柄に立体感を持たせる。
【解決手段】　上面開口した収納部２を有する本体部１に開閉可能な蓋体３を設けた化粧箱の蓋体３上面に凹部６を形成し、その凹部６にシートＳを載置するとともに、透明カバー１０をその凹部６に嵌め込んで前記シートＳを固定する。シートＳのうち下方に位置するものには、反射光を生じさせてその反射光同士が干渉するパール光沢を有するバックシート１１を用い、その上方に位置するものには、前記バックシート１１よりも平面形状が小さい象形シート１２を使用する。下方に載置したバックシート１１により発生した反射光が、その上に載置された象形シート１２の周縁に光を発し、その象形シート１２の絵柄を視覚的に浮き上がらせる。このため、蓋体３上面に立体感ある絵柄を得ることができ、その立体感ある絵柄は、美観を向上し、高級感を高めるのに有効である。
【選択図】図２
0003099607.tif 000002
【実用新案登録請求の範囲】
【請求項１】
　上面開口した収納部２を有する本体部１に開閉可能な蓋体３を設け、その蓋体３上面に凹部６を形成してその凹部６にシートＳを載置するとともに、透明カバー１０をその凹部６に嵌め込んで前記シートＳを固定する化粧箱において、前記シートＳは、象形シート１２であることを特徴とする化粧箱。
【請求項２】
　上面開口した収納部２を有する本体部１に開閉可能な蓋体３を設け、その蓋体３上面に凹部６を形成してその凹部６にシートＳを載置するとともに、透明カバー１０をその凹部６に嵌め込んで前記シートＳを固定する化粧箱において、前記シートＳは、象形シート１２の下方にバックシート１１を配置したものであり、その象形シート１２周縁外側に前記バックシート１１が視認できることを特徴とする化粧箱。
【請求項３】
　前記バックシート１１は、反射光を生じさせる光沢を有するものであることを特徴とする請求項２に記載の化粧箱。
【請求項４】
　前記バックシート１１が有する光沢は、そのシート１１による反射光同士の干渉を生じさせるパール光沢であることを特徴とする請求項３に記載の化粧箱。
【請求項５】
　前記バックシート１１は、不規則な皺を有するものであることを特徴とする請求項２又は４に記載の化粧箱。
【考案の詳細な説明】
【技術分野】
【０００１】
　この考案は、アクセサリーや宝石、化粧品、その他小物等を収納する化粧箱に関するものである。
【背景技術】
【０００２】
　従来のアクセサリーや宝石、化粧品、その他小物等を収納する化粧箱は、本考案の実施形態である図１に基づいて説明すると、上面が開口した収納部２を有する本体部１に、蓋体３が取り付けられ、その蓋体３は、前記本体部１の後面側において、その本体部１と蓋体３とを挿通する水平なピン８、又は蝶番などを介して取り付けられ、本体部１に対してそのピン８、又は蝶番の回りに回転可能になって、その回転と共に収納部２の上面開口全体を開閉できるようになっている。
【０００３】
　一般的にこの種の化粧箱では、その箱の装飾性を高めて美観を良くするため、蓋体３上面に各種の意匠等が施される。例えば、キャラクタの絵柄や写真等が、その蓋体３上面に視認できるように印刷、焼付け等がなされたり、あるいはその印刷物、写真等を蓋体３上面に接着等した後、その上を保護するためにコーティング、あるいはカバー等を施したものがある。
【０００４】
　また、蓋体３上面に記念写真等を載置するとともに、その載置物の上面を覆う着脱自在の保護カバーを設けて、その記念写真等を上面から押さえて固定するようにしたオルゴール付きの収納箱の例もある（特許文献１参照）。
【特許文献１】特開平１１−２１２５４９号公報
【考案の開示】
【考案が解決しようとする課題】
【０００５】
　しかし、前記蓋体３上面に施したキャラクタ等の絵柄や写真等は、その化粧箱を使用するにつれて、次第に見慣れて飽きがくることが多い。従来の一般的な化粧箱では、その絵柄は取り外しができないため、飽きがきた場合には、収納箱自体を買い換えざるを得ない。また、絵柄の異なる製品を製作しようとする際には、その絵柄の異なる製品毎に製作工程を変える必要があるので、コスト高でもある。
【０００６】
　さらに、特許文献１の例では、その商品価値は、記念写真等を取り替え可能にした記念品的な意味合いが強く、商品の外観から消費者の購買意欲を喚起するものとはいえない。
【０００７】
　また、上記いずれの例においても、蓋体３上面に施される絵柄や写真等は平面的で立体感がなく、彫刻等を施すことにより絵柄が浮き彫りにされた箱と比較すると、その美観で見劣りがするのが現状である。
【０００８】
　そこで、この考案は、蓋体に施される絵柄等を取り替え可能にして化粧箱の装飾性を高めるとともに、その絵柄に立体感を持たせることを課題とする。
【課題を解決するための手段】
【０００９】
　上記の課題を解決するために、この考案は、上面開口した収納部を有する本体部に開閉可能な蓋体を設け、その蓋体上面に凹部を形成してその凹部にシートを載置するとともに、透明カバーをその凹部に嵌め込んで前記シートを固定する化粧箱において、前記シートを象形シートにしたのである。このようにすれば、この化粧箱を使用する世代の女性の好みにあう象形シート、例えばキャラクタや人物像、物品、風景などの絵柄や写真を差し入れて、ファンシーで可愛らしい化粧箱の外観を供することができる。
【００１０】
　また、前記シートは、象形シートの下方にバックシートを配置したものとし、その象形シート周縁外側に前記バックシートが視認できるようにした構成を採用し得る。このようにすれば、上方に位置する象形シートは、下方のバックシートを背景としてより引き立って見えるので化粧箱の高級感が増すとともに、その背景は取り替え可能であるので、同じ象形シートを使用しつつ化粧箱のデザインのバリエーションが広がる効果がある。
【００１１】
　さらに、そのバックシートは、反射光を生じさせる光沢を有するものとして、そのバックシートにより発生した反射光が、その上に載置された象形シートの周縁において光を発するようにした構成を採用し得る。象形シート周縁の反射光は、その象形シートの絵柄等を視覚的に浮き上がらせる効果があるので、蓋体上面に立体感ある絵柄等を得ることができる。立体感ある絵柄等は、美観の向上とそれに伴う外観上の高級感を高めるのに有効である。
【００１２】
　また、前記バックシートが有する光沢を、そのシートによる反射光同士の干渉を生じさせるパール光沢とすれば、前記絵柄の浮き上がり効果がさらに高まり、また、そのシートに不規則な皺を設ければ、反射光が乱反射することにより、美観の向上にさらに有効である。
【考案の効果】
【００１３】
　この考案の化粧箱は、複雑な構造を伴わずに、蓋体に施される絵柄等が取り替え可能となるとともに、その絵柄の下方に光沢シートを配すれば、その絵柄に立体感を持たせることができるので、化粧箱に対する高級感が高まる利点がある。
【考案を実施するための最良の形態】
【００１４】
　考案を実施するための最良の形態を図１乃至図４に示し、この実施形態の化粧箱は、図２に示すように、上面が開口した収納部２を有する本体部１に、蓋体３が取り付けられており、その蓋体３は、前記本体部１の後面側において、その本体部１と蓋体３にそれぞれ設けられた水平なピン孔７を挿通するピン８により、本体部１に対してそのピン８回りに回転可能になって、その回転と共に収納部２の上面開口全体を開閉できるようになっている。
【００１５】
　蓋体３の内面には、図１に示すように鏡９が設けられており、蓋体３を開蓋することにより、その蓋体３が、図示する起立状態で本体部１に係止されて、鏡９を使用しやすいようになっている。
【００１６】
　収納部２は、内部に仕切壁４により細かく仕切られた小室５が設けられて、その小室５各々に、アクセサリーや宝石、化粧品、その他小物等が収納できるようになっている。また、蓋体３は、その上面に凹部６が形成されており、その凹部６は、図３に示すように、その周囲に側壁６ａを有して蓋体３上面との段部を形成しているとともに、フラットな底部６ｂとから構成されている。
【００１７】
　その凹部６の底部６ｂ上に、図３に示すように、シートＳを載置するとともに、その上に透明カバー１０をその凹部６に嵌め込んで前記シートＳを固定する。このとき、前記透明カバー１０は、前記凹部６の平面形状と同一の形状を成すものであるので、前記凹部６の側壁６ａとその透明カバー１０の側壁１０ａとが、図３に示すように、その両者間の全周に亘る摩擦により固定される。このため、透明カバー１０の蓋体３への取り付け、取り外しが簡単であるとともに、透明カバー１０の取り付け時には、その全周に亘る摩擦力により透明カバー１０が蓋体３へ固定される。また、蓋体３及びカバー１０のその構造が簡素であるので、化粧箱製作のコストダウンに寄与し得る。
【００１８】
　なお、凹部６の平面形状と透明カバー１０の平面形状は、同一の形状であることが望ましいが、両者が嵌まりあって固定され得る限りにおいて、共通の形状を有するものであればよい。
【００１９】
　前記シートＳは、上下に２枚重ねて載置し、そのうち下方のシートＳには、反射光を生じさせる光沢を有するバックシート１１を用い、特に、そのシート１１による反射光同士が干渉することにより、メタリック調のいわゆるパール光沢を発生させるものを使用する。上方のシートＳには、前記バックシート１１よりも平面形状が小さい象形シート１２を用い、その象形シート１２としては、例えば、図２に示すように、キャラクタなどの絵柄Ｐをその外形線でもって切り抜いたものを使用する。その象形シート１２の位置や大きさは、その象形シート１２周縁外側に前記バックシート１１が視認できる状態にあればよい。また、その際、図示するように、透明カバー１０にも、適宜絵柄Ｑが描かれていてもよい。
【００２０】
　下方に載置したバックシート１１により発生した反射光が、その上に載置された象形シート１２のキャラクタＰ及び、透明カバー１０に描かれたキャラクタＱの周縁に光を放ち、その周縁の反射光が、前記キャラクタＰ，Ｑの絵柄を視覚的に浮き上がらせる。このため、蓋体３上面に立体感ある絵柄を得ることができる。このとき、バックシート１１は、図２に示すように、不規則な皺や折目線を設けたものを使用しているので、前記反射光が乱反射して前記浮き上がり効果がさらに向上するとともに、その反射光がキラキラと光って美観がさらによくなる効果がある。
【００２１】
　なお、パール光沢を有するバックシート１１として、例えば、そのシート１１を構成する素材の厚さ方向の一定部分に、パール顔料等を層状に介在させたものが挙げられる。そのシートへの入射光は、その顔料層等の介在により素材が不連続となる部分の境界でもって多重反射し、反射光同士がお互いに干渉するようになる。光を複雑に多重反射させることによりこの干渉が高まり、真珠のもつようなメタリック調のパール光沢がより美しく生じるものである。また、このパール光沢を有するシート以外にも、一般的な光沢を発生させるシートであれば、前記絵柄を浮き上がらせる同様の効果が期待できる。
【００２２】
　このシートＳとしては、例えば、セロファン等のフィルム類や、その他のシート類等の薄手のいわゆるシート状物が利用できる他、前記透明カバー１０を凹部６に嵌めることができる限りにおいて、幾分厚みを有するプレート状のものであってもよい。請求項でいうシートは、これらのものをすべて含む概念である。
【００２３】
　この実施形態では、バックシート１１の上に載置される象形シート１２と、透明カバー１０の双方にキャラクタＰ，Ｑ等の絵柄を配置したが、この実施形態には限定されず、例えば、前記象形シート１２を省略してカバー１０に描かれた絵柄のみとしてもよいし、逆に、カバー１０に絵柄を設けずに象形シート１２の絵柄のみとしてもよい。
【００２４】
　また、両シート１１，１２は、バックシート１１が象形シート１２よりも平面形状が大きいもの、あるいは、その象形シート１２周縁外側に前記バックシート１１が視認できるものであれば、前記浮き上がり効果が期待できるので、その条件を満たす限りにおいて、それぞれの重ねて使用する枚数やその大きさは自由である。なお、前記浮き上がり効果を求めない場合には、バックシート１１を省略してもよく、また、使用する絵柄は、キャラクタの絵柄以外にも、例えば、風景や物品、人物像等の絵や写真であってもよい。
【００２５】
　この実施形態では、透明カバー１０を蓋体３上面の凹部６に嵌め込んで係止したが、その係止方法は、特に限定されない。透明カバー１０と蓋体３に両者が嵌まり合う爪部と嵌入部を設けてもよいし、蝶番を介在させて透明カバー１０がその蝶番回りに可動としてもよい。
【００２６】
　また、蓋体３の係止方法も、この実施形態のように、ピン８を介して本体部１に対してそのピン回りに回転することにより開閉可能としてもよいし、本体部１の上部に蓋体３を嵌め込むことにより、係止するようにしてもよい。
【図面の簡単な説明】
【００２７】
【図１】一実施形態の斜視図
【図２】図１の要部分解図
【図３】図１の蓋体の拡大断面図
【図４】図１の閉蓋した状態を示す斜視図
【符号の説明】
【００２８】
１　本体部
２　収納部
３　蓋体
４　仕切壁
５　小室
６　凹部
６ａ　側壁
６ｂ　底部
７　ピン孔
８　ピン
９　鏡
１０　透明カバー
１０ａ　側壁
１１　バックシート
１２　象形シート
Ｐ，Ｑ　キャラクタ
Ｓ　シート
【図１】
0003099607.tif 000003
【図２】
0003099607.tif 000004
【図３】
0003099607.tif 000005
【図４】
0003099607.tif 000006